(57)【要約】      （修正有）【課題】躯体表面に形成された孔にねじ込み式アンカーをねじ込んで施工する際、簡単且つ良好に施工することができるアンカー施工具及びそれを用いたアンカー施工方法を提供する。【解決手段】軸方向に沿ってねじ込み部１１、ボルト部１２及び工具装着部１３がこの順に形成されたねじ込み式アンカー１０を躯体表面に形成された孔にねじ込んで施工するために使用するアンカー施工具１は、工具装着部１３が形成されたねじ込み式アンカー１０の端部を挿入し、ボルト部１２の外周面を囲繞する筒状部２と、筒状部２の底部に設けられ、工具装着部１３と係合する係合部３と、係合部３の端部に形成され、工具を装着するための装着部と、を有する構成である。【選択図】図２
2016113822.tif 000002
【特許請求の範囲】
【請求項１】
軸方向に沿ってねじ込み部、ボルト部及び工具装着部がこの順に形成されたねじ込み式アンカーを躯体表面に形成された孔にねじ込んで施工するためのアンカー施工具であって、
前記工具装着部が形成された前記ねじ込み式アンカーの端部を挿入し、前記ボルト部の外周面を囲繞する筒状部と、
前記筒状部の底部に設けられ、前記工具装着部と係合する係合部と、
前記係合部の端部に形成され、工具を装着するための装着部と、
を有することを特徴とするアンカー施工具。
【請求項２】
前記係合部が前記工具装着部と係合した状態のとき、前記筒状部の先端が前記ねじ込み式アンカーの前記ねじ込み部と前記ボルト部との境界近傍に位置することを特徴とする請求項１に記載のアンカー施工具。
【請求項３】
請求項１又は２に記載のアンカー施工具を用いてねじ込み式アンカーを施工するアンカー施工方法であって、
前記ねじ込み式アンカーをねじ込むための孔を躯体表面の所定位置に形成する工程と、
前記工具装着部が形成された前記ねじ込み式アンカーの端部を前記アンカー施工具の筒状部に挿入し、前記工具装着部を前記係合部に係合させる工程と、
前記装着部に工具を装着した状態で、前記筒状部の先端から突出する前記ねじ込み部の先端を躯体表面に形成した孔の開口部に接合させる工程と、
前記装着部に装着した工具を作動させることで躯体表面に形成した孔に前記ねじ込み部をねじ込んでいく工程と、
前記筒状部の先端が躯体表面に形成した孔の開口部周縁に当接した時点で前記装着部に装着した工具を停止させる工程と、
前記工具装着部と前記係合部との係合を解除して前記アンカー施工具を前記ねじ込み式アンカーから離脱させる工程と、
を有することを特徴とするアンカー施工方法。
【請求項４】
躯体表面に形成する孔は、前記ねじ込み式アンカーの前記ねじ込み部の長さよりも深い孔であることを特徴とする請求項３に記載のアンカー施工方法。
【請求項５】
前記躯体表面は天井面であることを特徴とする請求項３又は４に記載のアンカー施工方法。
【発明の詳細な説明】
【技術分野】
【０００１】
本発明は、躯体表面に形成された孔にねじ込み式アンカーをねじ込んで施工するためのアンカー施工具及びそれを用いたアンカー施工方法に関する。
【背景技術】
【０００２】
従来、軸方向に沿ってねじ込み部とボルト部と工具装着部とがこの順に形成されたねじ込み式アンカーが公知である（例えば、特許文献１）。この従来のねじ込み式アンカーは、軸部材の先端側に、大小２つの螺子山から成るねじ込み部が設けられ、軸部材の後端側に、メートル螺子で構成されるボルト部と、ドライバビットなどの工具を装着するための工具装着部とが設けられた構成である。工具装着部は、例えばボルト部の直径よりも小径の六角頭として構成される。そのため、ねじ込み式アンカーを施工する際には、工具装着部に対してドライバビットなどの工具を装着して工具を駆動することにより、ねじ込み式アンカーを躯体表面に形成された孔にねじ込んで施工することができる。そしてねじ込み式アンカーのねじ込み作業が終了すると、ドライバビットなどの工具をねじ込み式アンカーの軸方向に沿って引き抜くことにより、工具を工具装着部から離脱させることができ、その際にねじ込み式アンカーが緩むことはない。
【先行技術文献】
【特許文献】
【０００３】
【特許文献１】特開２００４−１９３７０号公報
【発明の概要】
【発明が解決しようとする課題】
【０００４】
しかしながら、従来のねじ込み式アンカーは、躯体表面に形成された孔がねじ込み部の長さよりも深い場合、良好な状態に施工することが困難である。なぜなら、ねじ込み部とボルト部とがほぼ同径であるため、工具装着部に装着した工具を駆動すると、ねじ込み部の先端が孔の奥底に当たるまでねじ込み式アンカーが孔にねじ込まれていくからである。そのため、ねじ込み式アンカーのねじ込み作業が終了すると、ボルト部の少なくとも一部が孔に埋設された状態となることが多く、躯体表面から十分な長さのボルト部を突出させた状態に施工することができない。
【０００５】
このことは、特に天井スラブなどの天井面に対してねじ込み式アンカーを施工する際に問題となる。すなわち、天井面にねじ込み式アンカーを施工する際には、作業効率の観点から、電動工具に延長ツールなどを装着し、作業者は床面などの比較的低い場所に居ながら、ねじ込み式アンカーをねじ込むための孔を天井面に形成したり、その孔にねじ込み式アンカーをねじ込んだりする作業が行われる。そのような場合、作業者は、天井面に対するドリル先端の埋入量がどの程度の量であるかを床面などの低い場所から目視で確認することができないため、天井面に形成する孔の深さを一定の深さにすることが困難である。それ故、作業者は、ねじ込み式アンカーのねじ込み部の長さよりも深くなるようにして予め天井面に孔を形成する。そして天井面に形成された孔に対してねじ込み式アンカーを施工する際には、延長ツールの先端にねじ込み式アンカーの工具装着部をセットした状態で床面などの低い場所で工具を操作し、ねじ込み式アンカーを深い孔にねじ込んでいく。このときも同様に、作業者は、天井面に形成された孔に対するねじ込み式アンカーの埋入量がどの程度の量であるかを床面などの低い場所から目視で確認することができないため、天井面に形成された孔に対してボルト部の突出量が適量となるタイミングで工具を停止させることが困難であり、孔に対してねじ込み式アンカーが深くねじ込まれてしまい、施工不良となるケースが頻発する。
【０００６】
本発明は、上記のような問題点を解決するためになされたものであり、躯体表面に形成された孔にねじ込み式アンカーをねじ込んで施工する際、簡単且つ良好に施工することができるようにしたアンカー施工具及びそれを用いたアンカー施工方法を提供することを、その目的とするものである。
【課題を解決するための手段】
【０００７】
上記目的を達成するため、請求項１に係る発明は、軸方向に沿ってねじ込み部(11)、ボルト部(12)及び工具装着部(13)がこの順に形成されたねじ込み式アンカー(13)を躯体表面に形成された孔にねじ込んで施工するためのアンカー施工具(1)であって、前記工具装着部(13)が形成された前記ねじ込み式アンカー(10)の端部を挿入し、前記ボルト部(12)の外周面を囲繞する筒状部(2)と、前記筒状部(2)の底部に設けられ、前記工具装着部(13)と係合する係合部(3)と、前記係合部(3)の端部に形成され、工具を装着するための装着部(6)と、を有することを特徴とする構成である。このような構成によれば、ねじ込み式アンカー(10)を躯体表面にねじ込むとき、スムーズにねじ込んでいくことができると共に、筒状部(2)の先端(2a)が躯体表面に接触したときに施工が完了したことを把握できるため、簡単且つ良好に施工することができるようになる。
【０００８】
請求項２に係る発明は、請求項１に記載のアンカー施工具(1)において、前記係合部(3)が前記工具装着部(13)と係合した状態のとき、前記筒状部(2)の先端(2a)が前記ねじ込み式アンカー(10)の前記ねじ込み部(11)と前記ボルト部(12)との境界近傍に位置することを特徴とする構成である。かかる構成によれば、筒状部(2)の先端(2a)が躯体表面に接触して施工が完了するときには、ねじ込み式アンカー(10)のボルト部(12)が孔(H)に埋入された状態となることを未然に防止でき、躯体表面から十分な長さのボルト部(12)を突出させることができる。
【０００９】
請求項３に係る発明は、請求項１又は２に記載のアンカー施工具(1)を用いてねじ込み式アンカー(10)を施工するアンカー施工方法であって、前記ねじ込み式アンカー(10)をねじ込むための孔(H)を躯体表面(S)の所定位置に形成する工程と、前記工具装着部(13)が形成された前記ねじ込み式アンカー(10)の端部を前記アンカー施工具(1)の筒状部(2)に挿入し、前記工具装着部(13)を前記係合部(3)に係合させる工程と、前記装着部(6)に工具を装着した状態で、前記筒状部(2)の先端(2a)から突出する前記ねじ込み部(11)の先端を躯体表面(S)に形成した孔(H)の開口部に接合させる工程と、前記装着部(6)に装着した工具を作動させることで躯体表面(S)に形成した孔(H)に前記ねじ込み部(11)をねじ込んでいく工程と、前記筒状部(2)の先端(2a)が躯体表面(S)に形成した孔(H)の開口部周縁に当接した時点で前記装着部(6)に装着した工具を停止させる工程と、前記工具装着部(13)と前記係合部(3)との係合を解除して前記アンカー施工具(1)を前記ねじ込み式アンカー(10)から離脱させる工程と、を有することを特徴とする構成である。かかる構成によれば、躯体表面(S)に形成された孔(H)にねじ込み式アンカー(10)をねじ込んで施工する際、簡単且つ良好に施工することができる。
【００１０】
請求項４に係る発明は、請求項３に記載のアンカー施工方法において、躯体表面(S)に形成する孔(H)は、前記ねじ込み式アンカー(10)の前記ねじ込み部(11)の長さよりも深い孔であることを特徴とする構成である。かかる構成によれば、孔(H)の深さを細かく調整する必要がないため、躯体表面(S)に孔(H)を形成するときの作業効率が向上する。
【００１１】
請求項５に係る発明は、請求項３又は４に記載のアンカー施工方法において、前記躯体表面(S)は天井面であることを特徴とする構成である。かかる構成によれば、特に天井スラブなどの天井面に対してねじ込み式アンカー(10)を施工する際の作業効率が向上する。
【発明の効果】
【００１２】
本発明によれば、躯体表面に形成された孔にねじ込み式アンカーをねじ込んで施工する際、簡単且つ良好に施工することができるようになる。
【図面の簡単な説明】
【００１３】
【図１】アンカー施工具を示す図である。
【図２】アンカー施工具の使用例を示す図である。
【図３】ねじ込み式アンカーをアンカー施工具に装着した状態を示す図である。
【図４】アンカー施工具を用いたねじ込み式アンカーの施工過程を示す図である。
【図５】アンカー施工具を用いたねじ込み式アンカーの施工過程を示す図である。
【図６】アンカー施工具を用いたねじ込み式アンカーの施工過程を示す図である。
【図７】躯体表面から突出するボルト部にブレースを連結固定する施工例を示す図である。
【図８】躯体表面から突出するボルト部にブレースを連結固定する施工例を示す図である。
【図９】躯体表面から突出するボルト部にブレースを連結固定する施工例を示す図である。
【発明を実施するための形態】
【００１４】
以下、本発明の好ましい実施形態について図面を参照しつつ詳細に説明する。尚、以下において参照する各図面では互いに共通する部材に同一符号を付しており、それらについての重複する説明は省略する。
【００１５】
図１は本発明に係るアンカー施工具１を示す図であり、図１（ａ）はアンカー施工具１を斜め上方から観た斜視図であり、図１（ｂ）はアンカー施工具１を斜め下方から観た斜視図であり、図１（ｃ）はアンカー施工具１の縦断面図である。また図２及び図３は、アンカー施工具１の使用例を示す図である。
【００１６】
このアンカー施工具１は、図２及び図３に示すようにねじ込み式アンカー１０を装着し、そのねじ込み式アンカー１０を躯体表面に形成された孔にねじ込むために使用されるものである。アンカー施工具１は、概略円柱状の形態を有しており、上部に形成された筒状部２と、下部に形成された係合部３とを有している。
【００１７】
一方、ねじ込み式アンカー１０は、図２に示すように、母材となる軸部材の軸方向に沿って、ねじ込み部１１と、ボルト部１２と、工具装着部１３とがこの順に形成されたアンカーである。このねじ込み式アンカー１０は、躯体表面に形成された孔にねじ込まれることにより、ボルト部１２を躯体表面から突出させた状態に施工されるアンカーである。ねじ込み部１１は、躯体表面に形成された孔にねじ込まれる部分であり、それぞれ高さの異なる大小２つの螺子山１１ａ，１１ｂが形成された構成である。ボルト部１２は、ねじ込み式アンカー１０が躯体表面の孔に固定された後、躯体表面から突出する部分であり、その外周面に一般的なメートル螺子などの雄螺子が形成されており、躯体表面に固定するためのワークなどをナットで締着固定することが可能である。工具装着部１３は、例えばボルト部１２よりも小径の六角頭部として構成され、ねじ込み式アンカー１０を躯体表面に形成された孔にねじ込み施工する際にソケットレンチなどの工具を装着するための部分である。
【００１８】
また本実施形態のねじ込み式アンカー１０は、図２において拡大図Ａに示すように、ねじ込み部１１の高い螺子山１１ａの角度αが６０度よりも大きく、ボルト部１２の螺子山の角度よりも大きくなるように形成されている。これにより、ねじ込み部１１が躯体表面の孔にねじ込まれたとき、高い螺子山１１ａと躯体スラブとの接合面が大きくなるため、より強固にねじ込み式アンカー１０を躯体に対して固定することができる。またねじ込み部１１における高い螺子山１１ａは、ボルト部１２の螺子山とほぼ同じ高さであるか、若しくは、それよりも高くなるように形成される。尚、図２では、ねじ込み部１１の高い螺子山１１ａは、ボルト部１２の螺子山よりも高い螺子山として形成された場合を例示している。
【００１９】
また図２に示す例では、ねじ込み部１１の先端１１ｃが縮径したテーパー状に形成される場合を例示している。この先端１１ｃは、図２に示すように平坦な面で構成されても良いし、また尖った先端として構成されても良い。ただし、ねじ込み部１１の先端１１ｃは、必ずしもテーバー状に縮径したものに限られない。
【００２０】
また図２に示す例では、ねじ込み部１１とボルト部１２との間に螺子無し部１４を設けた場合を例示している。ただし、これに限られず、ねじ込み部１１とボルト部１２との間には螺子無し部１４が存在しないものであっても良い。
【００２１】
アンカー施工具１は、上記のようなねじ込み式アンカー１０の工具装着部１３が形成された端部を筒状部２に挿入装着してねじ込み式アンカー１０を躯体表面の孔に施工する。すなわち、筒状部２の先端２ａには、図１（ａ）に示すように略円形の開口部４が形成されており、その開口部４より筒状部２の内側にねじ込み式アンカー１０を工具装着部１３から挿入することが可能である。開口部４の直径及び筒状部２の内径は、ねじ込み式アンカー１０のボルト部１２の外径よりも若干大きく形成されるため、ねじ込み式アンカー１０をスムーズに筒状部２の内側に挿入することができる。
【００２２】
係合部３は、筒状部２の底部に設けられ、図１（ｃ）に示すように筒状部２に挿入されるねじ込み式アンカー１０の工具装着部１３と係合する係合孔５を有している。この係合孔５は、例えば工具装着部１３の突出形状に適合するように構成された六角孔として構成される。そのため、筒状部２に挿入されるねじ込み式アンカー１０は、その端部に設けられる工具装着部１３を係合孔５に嵌入させた状態に装着される。
【００２３】
また係合部３の端部３ａには、図１（ｂ），（ｃ）などに示すようにアンカー施工具１に対して電動工具などの回転工具を装着するための装着部６が形成される。この装着部６は、例えば六角レンチなどの先端部を挿入装着可能なソケット孔として構成される。ただし、装着部６は、ソケット孔として形成されるものに限られず、例えば六角頭部などの多角柱状の頭部として形成されるものであっても構わない。
【００２４】
上記のようなアンカー施工具１に対してねじ込み式アンカー１０が正常に装着されると、図３に示すような状態となる。すなわち、ねじ込み式アンカー１０の工具装着部１３がアンカー施工具１の係合部３に設けられた係合孔５と係合した状態となり、且つ、筒状部２の周壁２ｂがねじ込み式アンカー１０のボルト部１２の全体を囲繞した状態となる。このとき、筒状部２の先端２ａは、ねじ込み式アンカー１０のねじ込み部１１とボルト部１２との境界近傍（図３の例では螺子無し部１４のほぼ中央）に位置するようになる。そのため、ねじ込み式アンカー１０をアンカー施工具１に装着したとき、筒状部２の先端２ａがねじ込み部１１とボルト部１２との境界近傍に位置すれば、ねじ込み式アンカー１０の装着状態が正常であることを簡単に把握することができる。これに対し、ねじ込み式アンカー１０の工具装着部１３が係合孔５に対して深く差し込まれていない場合には、筒状部２の先端２ａからボルト部１２の一部がはみ出した状態となるため、アンカー施工具１に対してねじ込み式アンカー１０が正常に装着されていないことを把握することができる。したがって、ねじ込み式アンカー１０がアンカー施工具１に対して正常に装着されたときには、筒状部２の先端２ａがねじ込み式アンカー１０のねじ込み部１１とボルト部１２との境界近傍に位置するように構成することで、ねじ込み式アンカー１０の装着状態を容易に確認することができ、常にねじ込み式アンカー１０を正常な状態に装着することができるという利点がある。
【００２５】
次に、上記のようなアンカー施工具１を用いて躯体表面に形成された孔にねじ込み式アンカー１０をねじ込んで施工する方法について説明する。図４乃至図６は、ねじ込み式アンカー１０の施工過程を示す図である。ここでは、天井スラブＳの表面に形成した孔Ｈに対してねじ込み式アンカー１０を施工する場合を例示している。ねじ込み式アンカー１０を天井スラブＳに施工する際には、まず図４に示すように天井スラブＳに対して孔Ｈを形成する。このとき、作業者は、電動工具に延長ツールを装着すると共に、その延長ツールの先端にドリルビットを取り付け、床面などの比較的低い場所に居ながら天井スラブＳに穿孔する。このように床面などの比較的低い場所に居ながら天井スラブＳに対する穿孔作業を行うときには、天井スラブＳに対するドリル先端の埋入量がどの程度の量であるかを目視で確認することができないため、例えば、作業者はドリルビットによって穿孔可能な最大深度となるまで穿孔作業を継続することにより、孔Ｈの深さＤがねじ込み式アンカー１０のねじ込み部１１の長さよりも大きくなるようにして天井スラブＳに孔Ｈを形成する。天井スラブＳに形成する孔Ｈの直径は、例えばねじ込み式アンカー１０のねじ込み部１１に設けられた低い螺子山１１ｂの外径とほぼ同一径である。
【００２６】
続いて図４に示すように、作業者は、電動工具に装着した延長ツール２０の先端に、ねじ込み式アンカー１０を正常な状態に装着したアンカー施工具１を取り付ける。すなわち、アンカー施工具１の装着部６に対して延長ツール２０の先端に設けられた頭部２１を嵌入装着して延長ツール２０とアンカー施工具１とを連結する。尚、アンカー施工具１の装着部６が六角頭部として構成される場合には、延長ツール２０の先端に設けられるソケット部にその六角頭部を挿入装着することにより、延長ツール２０とアンカー施工具１とを連結する。尚、延長ツール２０の先端にアンカー施工具１を先に連結した後に、そのアンカー施工具１の筒状部２の内側にねじ込み式アンカー１０を挿入装着するようにしても良い。
【００２７】
そして図４に示すように、アンカー施工具１の筒状部２の先端２ａから突出するねじ込み部１１の先端１１ｃを天井スラブＳに形成した孔Ｈの開口部に接合させる。このとき、ねじ込み部１１の先端１１ｃがテーパー状に縮径していれば、先端部１１ｃの一部を孔Ｈの内側に挿入した状態に位置決めできるため、作業効率が良い。その後、作業者は、電動工具を駆動してアンカー施工具１をＲ方向（右回り方向）へ回転させることにより、ねじ込み式アンカー１０のねじ込み部１１を孔Ｈに対してねじ込んでいく。このとき、ねじ込み部１１の高い螺子山１１ａが孔Ｈの内壁を切り欠きながら孔Ｈの奥へと進行する。そして高い螺子山１１ａの角度αが一般的なメートル螺子の螺子山の角度よりも大きいため、孔Ｈの切り欠いた部分との接触面積を十分に大きくとることができ、螺子山１１ａの高さをそれ程高く形成しなくても十分な固定強度を確保することができる。また、ねじ込み部１１を孔Ｈにねじ込んでいくとき、低い螺子山１１ｂは、ねじ込み部１１を孔Ｈの内壁に当たることでねじ込み部１１を孔Ｈの奥へ向かって案内するガイドとしての機能を有すると共に、高い螺子山１１ａによって切り取られたスラブを孔Ｈの内壁と谷部の隙間に保持する機能を有している。
【００２８】
またねじ込み式アンカー１０のねじ込み部１１を孔Ｈにねじ込んでいくとき、アンカー施工具１の筒状部２がボルト部１２の外周面を囲繞しているため、ねじ込み式アンカー１０が傾倒してしまったり、軸振れしてしまうことを防止することができる。つまり、筒状部２がねじ込み式アンカー１０の姿勢を安定させるため、孔Ｈに対してスムーズにねじ込み式アンカー１０をねじ込んでいくことができる。
【００２９】
上記のようにしてねじ込み部１１を孔Ｈにねじ込んでいくと、図５に示すようにアンカー施工具１の筒状部２の先端２ａが天井スラブＳの表面に当たる状態となり、これ以降、ねじ込み式アンカー１０のねじ込み部１１を孔Ｈにねじ込むことができなくなる。すなわち、アンカー施工具１における筒状部２の先端２ａがねじ込み式アンカー１０を施工する際のストッパーとして機能する。ここで、筒状部２の先端２ａは、上述したようにアンカー施工具１に装着されたねじ込み式アンカー１０のねじ込み部１１とボルト部１２との境界近傍に位置している。そのため、筒状部２の先端２ａが天井スラブＳの表面と接触した状態となるときには、ねじ込み部１１とボルト部１２との境界部分が天井スラブＳの表面とほぼ等しい位置となる。
【００３０】
作業者は、筒状部２の先端２ａが天井スラブＳに当たったことを確認すると、電動工具を停止させる。そして作業者は、図６に示すように延長ツール２０を下方へ引き抜くことにより、工具装着部１３と係合孔５との係合状態を解除し、アンカー施工具１をねじ込み式アンカー１０から離脱させる。以上で、ねじ込み式アンカー１０の施工作業が終了する。
【００３１】
上記のようにアンカー施工具１を用いてねじ込み式アンカー１０を施工すると、天井スラブＳに形成した孔Ｈに対してボルト部１２の少なくとも一部が埋入されてしまうことを防止することができる。そのため、作業者が床面などの比較的低い場所に居ながら施工作業を行う場合でも、天井スラブＳの表面から十分な長さのボルト部１２を突出させた状態に施工することができる。
【００３２】
天井スラブＳの孔Ｈに固定されたねじ込み式アンカー１０は、天井スラブＳの表面から突出するボルト部１２に様々な天井構造物を取り付けて固定することができる。図７乃至図９は、その一例として、天井スラブＳの表面から突出するボルト部１２にブレース３４を連結固定する施工例をしている。ブレース３４は、天井スラブＳに吊り下げた状態で支持される天井パネルや空気調和器、照明器具などの吊下物の振れ止め装置として斜め方向に配設して取り付けられる補強部材である。このブレース３４の上端部には、天井スラブＳから突出するボルト部１２へ固定するための固定部材３０が取り付けられる。固定部材３０は、ブレース３４の上端に対し、回動部材３３を介して回動可能に取り付けられる。ただし、回動部材３３は、固定部材３０とブレース３４との間に一定の摩擦力を生じさせるようになっており、その摩擦力によりブレース３４に対する固定部材３０の角度を保持することができる。固定部材３０は、天井スラブＳから突出するボルト部１２を挿入するための貫通孔３２が設けられた天板３１を有している。尚、回動部材３３は、その軸方向両端が天板３１の両端に垂設された一対の側板に軸支される構成である。
【００３３】
天井スラブＳの表面から突出するボルト部１２に対してブレース３４の上端部を固定するとき、図７に示すように、作業者は、まずブレース３４と固定部材３０との角度を予め一定の角度に調整しておく。この作業は、作業者が床面などの比較的低い場所に居ながら行うことができる。そして作業者は、ブレース３４の上端を持ち上げ、天井スラブＳから垂下するボルト部１２を固定部材３０の天板３１に設けられた貫通孔３２に挿入する。このとき、固定部材３０は、回動部材３３の摩擦力によりブレース３４に対して相対的な回転を行わないため、貫通孔３２が形成された天板３１を天井スラブＳの表面とほぼ平行な状態にしてボルト部１２を貫通孔３２に挿入することができる。また図７に示すように回動部材３３は、貫通孔３２の下方空間を横切らない位置に設けられているため、作業者はボルト部１２と貫通孔３２との位置関係を目視で確認しながら挿入することができる。そのため、作業者は、床面などの比較的低い場所に居ながらボルト部１２を貫通孔３２に挿入する作業を簡単に行うことができる。
【００３４】
固定部材３０の貫通孔３２にボルト部１２が挿入されると、図８に示すような状態となる。この状態になると、作業者はブレース３４の下端部を床スラブなどに接触させて滑らないように手当することにより、ブレース３４の姿勢が安定し、固定部材３０がボルト部１２から離脱しないようになる。そのため、作業者はブレース３４から一旦手を離すことができる。そして作業者は、延長ツールの先端にナット４０を装着し、床面などの比較的低い場所から電動工具を操作することにより、貫通孔３２の下方に突出するボルト部１２に対してナット４０を装着する。このとき、ねじ込み式アンカー１０の工具装着部１３はナット４０の内径よりも小径であるため、工具装着部１３の外側を通してナット４０をボルト部１２に装着することができる。また固定部材３０において回動部材３３が貫通孔３２から突出するボルト部１２の下方空間を横切らない位置に設けられているため、ナット４０をボルト部１２に装着するときには回動部材３３が邪魔になることはない。そして電動工具が回転駆動されることによりナット４０がボルト部１２に対して螺合進行し、ナット４０の締め付けトルクが一定トルクになると、施工が完了する。その結果、図９に示すようにナット４０が固定部材３０の天板３１を天井スラブＳの表面に接合させて強く押し付けた状態に固定され、ブレース３４の上端部を天井スラブＳに固定することができる。
【００３５】
その後、作業者は、ブレース３４の下端部を再び持ち上げ、ブレース３４の配設角度を調整する。このとき、回動部材３３は摩擦力に抗して回動する。そのため、作業者はブレース３４の配設角度を簡単に調整可能である。そして適切な配設角度に調整したブレース３４の下端部を固定すると、ブレース３４の設置作業が完了する。このようにねじ込み式アンカー１０を施工後、ブレース３４を施工する際にも、作業者は床面などの比較的低い場所に居ながら作業を行うことができる。つまり、天井スラブＳの表面近傍での高所作業を行う必要がないため、効率良く施工することができるようになる。
【００３６】
以上のように本実施形態のアンカー施工具１は、軸方向に沿ってねじ込み部１１、ボルト部１２及び工具装着部１３がこの順に形成されたねじ込み式アンカー１０を躯体表面に形成された孔Ｈにねじ込んで固定するために使用されるものである。このアンカー施工具１は、工具装着部１３が形成されたねじ込み式アンカー１０の端部を挿入し、ボルト部１２の外周面を囲繞する筒状部２と、筒状部２の底部に設けられ、工具装着部１３と係合する係合部３と、その係合部３の端部に形成され、電動工具などを装着するための装着部６と、を有する構成である。このような構成によれば、ねじ込み式アンカー１０を躯体表面にねじ込むとき、スムーズにねじ込んでいくことができると共に、筒状部２の先端２ａが躯体表面に接触したときに施工が完了したことを把握できるため、簡単且つ良好に施工することができるようになる。
【００３７】
また本実施形態のアンカー施工具１は、係合部３がねじ込み式アンカー１０の工具装着部１３と係合した状態のとき、筒状部２の先端２ａがねじ込み式アンカー１０のねじ込み部１１とボルト部１２との境界近傍に位置する構成である。そのため、筒状部２の先端２ａが躯体表面に接触して施工が完了するときには、ねじ込み式アンカー１０のボルト部１２が孔Ｈに埋入された状態となることを未然に防止でき、躯体表面から十分な長さのボルト部１２を突出させることができる。
【００３８】
以上、本発明に関するいくつかの実施形態について説明したが、本発明は上述した内容のものに限定されるものではない。例えば、上記実施形態では、アンカー施工具１を用いて天井スラブＳにねじ込み式アンカー１０をねじ込む場合を例示したが、これに限られるものではない。すなわち、上述したアンカー施工具１は、ねじ込み式アンカー１０を天井スラブＳ以外の躯体表面（例えば壁面や床面など）に施工する場合であっても使用可能である。
【符号の説明】
【００３９】
１  アンカー施工具
２  筒状部
３  係合部
６  装着部
１０  ねじ込み式アンカー
【図１】
2016113822.tif 000003
【図２】
2016113822.tif 000004
【図３】
2016113822.tif 000005
【図４】
2016113822.tif 000006
【図５】
2016113822.tif 000007
【図６】
2016113822.tif 000008
【図７】
2016113822.tif 000009
【図８】
2016113822.tif 000010
【図９】
2016113822.tif 000011